Podtech/llm-jp-corpus-v4-ja_patent huggingface dataset:
(57)【要約】【課題】特段の装置を組み込むことなく、花器自体に工夫を凝らして、花器内部の水温上昇を抑制して切花の延命を図る方法が望まれていた。【解決手段】水分が浸透して微かに外部に漏れる花器の外周をケト土で覆い、当該被覆ケト土の表面から蒸発する水分の気化熱によりケト土内の温度上昇は抑えられ、結果として花器内の水分温度の上昇も抑えられる。係るケト土層は空気を内包するので、外部熱の流入に対しては、断熱効果を示す。【選択図】図１
2011041616.tif 000002
【特許請求の範囲】
【請求項１】
僅かに水分が浸透する土製花器にケト土を被覆し、当該被覆土からの水分気化熱によりケト土の温度上昇を抑制し、外部からの熱伝導をも抑制し、花器内部の水温上昇を抑制した切花延命用花器。
【請求項２】
請求項１に記載の花器被覆土にコケなどの植物を植えて被覆土を補強し、温度上昇を更に抑制した切花延命用花器。
【発明の詳細な説明】
【技術分野】
【０００１】
特段の冷却装置を設定することなく、花器内の水温上昇を抑えて切花の延命を図る方法および容器に関するものである。
【背景技術】
【０００２】
切花を延命させる技術は、いわゆる切花延命剤といわれる化学薬剤の添加による方法のほか、花器内の水温を低く抑えて延命を図る方法が知られている。例えば、ペルチェ素子を花器内底部に設置して目的を達する方法が知られている（特許文献１）。また、水温調節器を備えた冷却装置による花瓶用冷却装置も開示されている（特許文献２）。
【先行技術文献】
【特許文献】
【０００３】
【特許文献１】特開平１０−５２３４６号公報
【特許文献２】特開２００２−４５０３８号公報
【発明の概要】
【発明が解決しようとする課題】
【０００４】
電気エネルギーを利用した先行技術による冷却装置には電気供給用コードが不可欠で、花器のディスプレー場所が限定され、設置場所の雰囲気を害する恐れもあるし、維持費用も要する。従って、花器自体に工夫を凝らして、花器内部の水温上昇を抑制して切花の延命を図る方法が望まれていた。
【課題を解決するための手段】
【０００５】
水分が浸透して微かに外部に漏れる花器の外周をケト土で覆い、当該被覆ケト土の表面から蒸発する水分の気化熱によりケト土内の温度上昇は抑えられ、結果として花器内の水分温度の上昇も抑えられる。係るケト土層は空気を内包するので、外部熱の流入に対しては、断熱効果を示す。
【０００６】
花器側面からの1日の水分流出量は、花器の形状にも依存するが、0.1mLから10mLが好適であり、0.1mL未満では十分な気化熱による冷却効果が期待できず、10mLを超えると花器への水分補給を頻繁に行う必要が生じ、利便性に欠ける。ケト土の層は、5mmから25mmが好適であり、5mmより薄ければ断熱性を十分に発揮しにくいし、25mmを超えるとケト土の乾燥剥落が生じやすくなる。
【０００７】
ケト土にコケやシダ類の植物体を植えることは、ケト土の剥落を阻止して安定な被覆層を得る上で好都合であり、植物体それ自体が有する熱の遮蔽効果も期待できる。
【発明の効果】
【０００８】
日陰に置いた本発明に係る花器内の水温は、市販の花器に比べて3℃から8℃の差が認められ、実際に切花の延命効果が認められた。
【図面の簡単な説明】
【０００９】
【図１】本発明の花器本体とケト土被覆層を示す断面図である。
【図２】本発明の実施例と比較例との水温変化を表すグラフである。
【発明を実施するための形態】
【００１０】
赤土を主原料とした多孔性の花器の周囲を、適度に湿したケト土で覆い、過剰な水分を乾燥させて、花器に被覆層を形成した。花器の形状は任意であるが、釉薬等を塗布していない素焼きのものが好適であり、外表面に凹凸を設けると、ケト土層との付着安定性を高める。
【実施例１】
【００１１】
図１に本発明に係る花器の断面図を示すが、花器本体にケト土を花器の中心部での厚みが約15mmになるように被覆した。なお、ケト土層は、約20mm長に切断した棕櫚の繊維を1％添加し、補強した。
【００１２】
花器内部に水500mLを注ぎ、周囲温度の変化に伴う水温の変化を1時間おきに測定した。その結果を図２示す。なお、類似した花器本体で、ケト土を被覆していないものに、水500mLを同様に注ぎ、上部の注水口をポリエチレンフィルムで覆い、1日経過後の重量変化から、花器側面からの水分散逸量を推量した。すなわち、重量減少量は3.1gであり、側面流出量は約3.1mLと推量された。
【比較例１】
【００１３】
比較のために、信楽焼きの一輪挿しを横に並置して同じ条件での温度変化を測定した。その結果を、実施例と比較して図２示す。明らかに、本発明の花器に入れた水分温度が低く推移していることが分かった。
【産業上の利用可能性】
【００１４】
本発明は、水分冷却装置を導入することなく花器内部の水温上昇を抑制するもので、照明の当たるテーブル上やショーウインド内での利用が可能であり、効果的である。
【符号の説明】
【００１５】
１    多孔質花器本体
２    花器周囲を被覆したケト土層
【図１】
2011041616.tif 000003
【図２】
2011041616.tif 000004
(57)【要約】      （修正有）【課題】永久磁石の反発及び引きつけの利用により左右往復の動きを得てエアーシリンダーピストンを動かし、エアーをエアー圧縮機へためる装置を提供する。【解決手段】永久磁石Ｓ極５の上面に永久磁石Ｎ極１が上面に接地して備え、永久磁石Ｓ極５は上面にある永久磁石Ｎ極がよくころがるように永久磁石を取り付ける。永久磁石Ｎ極上面のレバー式ＯＮ，ＯＦＦスイッチの接地金具１９がレバー式ＯＮ，ＯＦＦスイッチ２へ接触になると、永久磁石Ｎ極３がＯＮになりＮ極となって、Ｎ極とＮ極の反発によって、エアーシリンダーピストンロッド１５が伸びる方向へと永久磁石Ｎ極１が動きます。エアーシリンダーピストンロッド１５が動く事により、エアーホース１３，１４を通して、エアー圧縮機９へエアーを送り、エアーが逆方向に流れないよう１方弁として作用するエアーバルブ１８を備える。【選択図】図１
2011041448.tif 000002
【特許請求の範囲】
この装置はエアー方式を採用していますがもちろん油圧方式も採用する事も可能です。この方式は面積が小さくコンパクトでトルクが大きいため工業用の工場とか家庭用として利用できます。又長路離トラックの休けいなどクーラー及びヒーター類の利用によりトラックのエンジンをかけているので昼間、夜間エンジンの騒音とか、燃料の節約の問題解決にもなります。電気自動車のプラグイン方式はバッテリー充電時は車が利用できない時でもこの方式は乗用車の走行時、停車時にも充電可能範囲は無限に充電します。この装置は平形Ｓ極磁石の上面にドーナツ形Ｎ極磁石を設置のため自動車の上下運動（バウンド）になんらししょうがなくたえず発電が安定して供給できます。
【発明の詳細な説明】
【作用】
永久磁石（平形）Ｓ極▲５▼の上面に永久磁石（ドーナツ形）Ｎ極▲１▼が上面に接地しています。永久磁石Ｓ極▲５▼は上面にある永久磁石（ドーナツ形）Ｎ極がよくころがるように永久磁石を取り付けています。永久磁石（ドーナツ形）Ｎ極上面のレバー式ＯＮ，ＯＦＦスイッチの接地金具▲１９▼がレバー式ＯＮ，ＯＦＦスイッチ▲２▼へ接触になると、永久磁石（四角形）Ｎ極がＯＮになりＮ極となって、Ｎ極とＮ極の反発によって、エアーシリンダーピストンロッド▲１５▼が伸びる方向へと永久磁石（ドーナツ形）Ｎ極が動きます。又エアーシリンダーピストンロッドが動く事により、エアーホース▲１３▼，▲１４▼を通して、エアー圧縮機▲９▼へエアーを送り、エアーが逆方向に流れないようにエアーバルブ▲１８▼が１方弁として作用します。エアー圧縮機にエアーをためる事が目的です。又ためたエアーを他の機械を動かすための動力源となります。
【図面の簡単な説明】
【図１】上面図  各部の符号図
【図２】側面図  永久磁石（四角形）Ｎ極と永久磁石（リング形）Ｎ極の反発のエネルギーによりエアーシリンダーピストンロッドが伸びた状態です。
【図３】側面図  永久磁石（四角形）Ｎ極と永久磁石（リング形）Ｎ極によって反発のエネルギーになる所です。エアーシリンダーピストンロッドが縮んだ状態です。
【符号の説明】▲１▼永久磁石（ドーナツ形）Ｎ極
▲２▼レバー式ＯＮ，ＯＦＦスイッチ
▲３▼永久磁石（四角形）Ｎ極
▲４▼永久磁石（ドーナツ形）シャフト
▲５▼永久磁石（平形）Ｓ極
▲６▼永久磁石（ドーナツ形）ズレドメレール
▲７▼永久磁石（ドーナツ形）ズレドメレール
▲８▼装置の台
▲９▼エアー圧縮機
▲１０▼エアーシリンダー取付台
▲１１▼エアシリンダー
▲１２▼エアシリンダー取付ピン
▲１３▼エアーホース
▲１４▼エアーホース
▲１５▼エアーシリンダーピストンロッド
▲１６▼永久磁石のスライドピン
▲１７▼ロッドエンド
▲１８▼エアーバルブ
▲１９▼レバー式ＯＮ，ＯＦＦスイッチの接地金具
【図１】
2011041448.tif 000003
【図２】
2011041448.tif 000004
【図３】
2011041448.tif 000005
(57)【要約】【課題】従来の電力貯蔵装置は、架線電圧が放電開始電圧まで低下すると電池を放電し、架線電圧の低下を防ぐ為、変電所が停止している場合でも電池が放電し尽くすまで運転を継続してしまう。夜間やメンテナンス時など変電所が停止した際には、電力貯蔵装置は運転を停止させる必要があり、現状は専用の通信手段を設けて停止させている。【解決手段】本発明は、架線電圧が放電開始電圧より高い定格電圧となったことを検知して起動し、架線電圧が放電開始電圧かつ放電電流が電力貯蔵装置の損失程度に小さいことを一定時間継続したことを検知した場合に停止することを特徴とする電力貯蔵装置であり、専用の通信手段を用いることなく、架線電圧より電力を供給する負荷が存在せず変電所が停止した場合でも運転を停止することができる。【選択図】図１
2011041438.tif 000002
【特許請求の範囲】
【請求項１】
架線電圧が充電開始電圧より高い場合は電池を充電することにより該架線電圧の上昇を防ぎ、前記架線電圧が放電開始電圧より低い場合は電池を放電することにより前記架線電圧の低下を防ぐ電力貯蔵装置において、前記架線電圧が定格電圧より高い場合に電力貯蔵装置を架線に接続する接触器を閉じることにより起動し、前記架線電圧が放電開始電圧を含む狭い範囲であり、電池の放電電流が該電力貯蔵装置の損失程度を含む低い値であることを一定時間継続した場合に該接触器を開くことにより停止することを特徴とする電力貯蔵装置。
【発明の詳細な説明】
【技術分野】
【０００１】
本発明は、鉄道用直流架線の電力貯蔵装置に関する。
【背景技術】
【０００２】
従来の電力貯蔵装置は、架線電圧が充電開始電圧より高い場合は電池を充電することにより架線電圧の上昇を防ぎ、架線電圧が放電開始電圧より低い場合は電池を放電することにより架線電圧の低下を防いでいる。（例えば、特許文献１参照。）。
【先行技術文献】
【特許文献】
【０００３】
【特許文献１】特開２００８−０７４１８０号公報
【発明の概要】
【発明が解決しようとする課題】
【０００４】
夜間やメンテナンス時などに変電所が停止した場合には、電力貯蔵装置は運転を停止させる必要があり、現状は専用の通信手段を設け、変電所の起動と停止に連動させている。従来の電力貯蔵装置は専用の通信手段を設けない場合、変電所が停止しても、電池が放電しつくすまで運転を継続する問題があった。
【課題を解決するための手段】
【０００５】
請求項１の発明によれば、架線電圧が充電開始電圧より高い場合は電池を充電することにより該架線電圧の上昇を防ぎ、前記架線電圧が放電開始電圧より低い場合は電池を放電することにより前記架線電圧の低下を防ぐ電力貯蔵装置において、前記架線電圧が定格電圧より高い場合に電力貯蔵装置を架線に接続する接触器を閉じることにより起動し、前記架線電圧が放電開始電圧を含む狭い範囲であり、電池の放電電流が該電力貯蔵装置の損失程度を含む低い値であることを一定時間継続した場合に該接触器を開くことにより停止することを特徴とする電力貯蔵装置。
【０００６】
本発明は、前記課題を解決するためのもので、架線電圧が定格電圧以上の場合に電力貯蔵装置を架線に接続する接触器を閉じることにより起動し、架線電圧が放電開始電圧を含む狭い範囲であり、電池の放電電流が電力貯蔵装置の損失程度を含む低い値であることを一定時間継続した場合に前記接触器を開くことにより停止する。
【発明の効果】
【０００７】
従来の電力貯蔵装置は、架線電圧が放電開始電圧まで低下すると電池を放電し、架線電圧の低下を防ぐ為、変電所が停止している場合でも電池が放電し尽くすまで運転を継続してしまう。夜間やメンテナンス時など変電所が停止した際には、電力貯蔵装置は運転を停止させる必要があり、現状は専用の通信手段を設けて停止させている。
本発明は、架線電圧が放電開始電圧より高い定格電圧となったことを検知して起動し、架線電圧が放電開始電圧かつ放電電流が電力貯蔵装置の損失程度に小さいことを一定時間継続したことを検知した場合に停止することを特徴とする電力貯蔵装置であり、専用の通信手段を用いることなく、架線電圧より電力を供給する負荷が存在せず変電所が停止した場合でも運転を停止することができる。本発明により、専用の通信手段を用いることなく、変電所が停止した場合でも運転を停止することができる。
【図面の簡単な説明】
【０００８】
【図１】本発明の実施方法を示した説明図である。（実施例１）
【発明を実施するための形態】
【０００９】
架線電圧が定格電圧以上の場合に電力貯蔵装置を架線に接続する接触器を閉じることにより起動し、架線電圧が放電開始電圧を含む狭い範囲であり、電池の放電電流が電力貯蔵装置の損失程度を含む低い値であることを一定時間継続した場合に電力貯蔵装置を架線に接続する接触器を開くことにより停止する。
【実施例１】
【００１０】
図１は、本発明の１実施例を示すもので、以下図１に従って説明する。
【００１１】
電力貯蔵装置４は接触器１と電力変換器２と電池３によって構成されており、接触器１は架線電圧が定格電圧(1500V)以上で閉じて起動する。接触器１が閉じた状態にて、電力貯蔵装置４は架線電圧が充電開始電圧（1800V）より高い場合は電池を充電し、架線電圧が放電開始電圧(1000V)より低い場合は電池を放電する。架線電圧が放電開始電圧を含む狭い範囲(1000V±50V)であり、電池の放電電流が電力貯蔵装置の損失程度を含む低い値(10A)以下であることを一定時間(10sec)継続した場合に接触器１を開き停止する。
【産業上の利用可能性】
【００１２】
本発明により、変電所停電時の単独運転検知を行い、変電所との連動を専用通信なしで実現することができる。
【符号の説明】
【００１３】
１      接触器
２      電力変換器
３      電池
４      電力貯蔵装置
【図１】
2011041438.tif 000003
(57)【要約】【課題】従来より、蒸し暑い夏場等には寝苦しさがあった、それを解消するためにはエアコン、扇風機等により寝具の外部から冷却するのが一般的であった。【解決手段】ア−チ状かご形器具本体を掛け布団の下側に置いて人体との間に空間を設け、人体から発する熱、湿気等を寝具内から外部に排出することで、快適な寝具内環境を提供するものである。【選択図】図4
2011041725.tif 000002
【特許請求の範囲】
【請求項１】
横臥している人体を支える敷布団13とこの敷布団に載置され、前記人体の上半身を覆うア−チ状かご形の本体の上に被せられる掛け布団と前記本体の側面下方に設けられた排気ダクト図3により前記人体から発する熱、湿気等を外気に導くための装置を備えたことを特微とする寝具装置。
【発明の詳細な説明】
【技術分野】
【０００１】
本発明は就寝中の快適な寝具装置に関する。
【背景技術】
【０００２】
従来は発泡性樹脂で箱型の敷布団を設けて横臥させた人体の首から下の胴体部にフタをして密閉状態にして寝具内に空気を送風する方法（例えば特許文献1参照）実公昭40-34833号
【０００３】
特許文献1には空気を送る送風機と吸い込み口を備え、吸い込み口から吸入した空気は排出口によって寝具内に送る寝具装置が記載されている。
【０００４】
特許文献2には寝具に設けられた吸引口により寝具内の空気を吸引し寝具外に排出する寝具装置が記載されている。
【先行技術文献】
【特許文献】
【０００５】
【特許文献１】実公昭40−34833号
【特許文献２】特開2001-129030
【発明の概要】
【発明が解決しようとする課題】
【０００６】
特許文献1の寝具においては、寝具自体に必要課第を設けるための寝具を製造する必要があった、実公昭40−34833号、又、寝具内は密閉状態となることで人体と掛け布団との間には隙間は生じないために涼風効果は得られない。
【０００７】
特許文献2の吸引式寝具においては、寝具内に負圧が掛かることで、掛け布団は敷布団側に引き込まれて密着してしまい、寝具内の空気の流通は阻害されるために、当初の目的を果たす効果は薄い。
【０００８】
人体の体温分布においては、心臓から遠くなる程、低温になっていくのが一般的である、特に足先が冷たい人は多い、特許文献1の場合は、上半身側と同じく足元にも空間が出来ていることで、血液の循環が悪い人や、高齢者等には足が冷え過ぎる恐れがある。
【０００９】
本発明はこのような従来の構成が有していた問題を解決しようとするものである。
【課題を解決するための手段】
【００１０】
横臥している人体15を支える敷布団13とこの敷布団に載置され、前記人体の上半身を覆うア−チ状かご形器具本体、図1と、この本体の上に被せられる掛け布団12と、前記本体の側面下方に設けられ前記人体から発する熱、湿気等を外気に導くための排気ダクトを備えたことを特徴とする寝具装置。
【発明の効果】
【００１１】
上述したように本発明の寝具装置は、従来から使用している既存の寝具が利用出来ることで安価に製造が可能となる。
【００１２】
又、従来から在る掛け布団は柔軟性が高いために、掛け布団と敷布団との間に僅かな隙間を生じさせることで、外部から空気が入り込み涼しく心地良いものがある。
さらに、掛け布団の柔軟性を利用することで足元にも適切に布団を掛けることが出来ることから足部への保温が可能となる。
【図面の簡単な説明】
【００１３】
【図１】アーチ状かご形器具本体の組立て図
【図２】アーチ状かご形器具本体の分解図
【図３】排気ダクト図
【図４】本発明の実施形態を示す外観図
【発明を実施するための形態】
【００１４】
以下、本発明の実施の形態を図1~図4に基づいて説明する。
【００１５】
図2においてはプラスチック製のア−チ状枠3に木製バ−4をネジ5により締結し図1の如くア−チ状かご形器具本体（以下本体）となる本体内は人体15が横臥し、且つ寝返りができる程度の広さを持つ。
【００１６】
敷布団13上に横臥した人体15の胸部から腹部辺りに本体を被せ、その上から既存の掛け布団12を掛ける、このため人体15と掛け布団12との間には空間20が生じるため寝具内は空気の流通が良好となる、又、冬場等の寒い時期には保温のために、厚い掛け布団を掛けても人体15への重圧感は無い。
【００１７】
本体の側面には体温吸収装置（以下、排気ダクト）が配置されており、人体15から発生する熱、湿気等を寝具外に排出し同時に脱臭効果を得る。
【００１８】
排気ダクト図3においては、ファンモ−タ16により吸い込み口6から吸引され脱臭剤を通過した空気は排出口7から排気される、又、掛け布団１２の先端が排出口7を塞ぐことが無いように掛け布団ずれ防止部9が設けられている、さらに、ダクトケ−ス22のー部には、Ｕ字形の切り欠き部10を設けて、バ−4と嵌り固定する,この時、排気ダクト図3の位置はバ−4上の任意の位置に移動できる、そして、ダクト図3の右側面には各々アダプタコンセント17,確認ランプ18、電源投入スイッチ19が設けられている。
【００１９】
排気ダクト図３の上ケ−ス21、下ケ−ス22はプラスチックにより形成され、それらは互いにビスで締結される、そして、ファンモ−タの回転による危険防止のため、ネット状のガ−ド8が設けられており、ファンモ−タ16とガ−ド8は排気ダクト図3にビスで固定され、フタ14を開いて脱臭剤が設置される。
【００２０】
本体図1は、図2の如く組立て式となっており、プラスチックにより形成されたア−チ状の枠3は木製のバ−4とでネジ5により締結されているため不要の場合には分解できることでコンパクトに収納が可能となる
【符号の説明】
【００２１】
3    アーチ状枠
4    バ−
5    取り付けネジ
6    吸い込み口
7    排出口
8    ガ−ドネット
9    掛け布団ずれ防止部
10   本体取り付け用切り欠き部
11   空気進入経路
12   掛け布団
13   敷布団
14   脱臭剤挿入フタ
15   人体
16   ファンモ−タ
17   アダプタコンセント
18   確認ランプ
19   電源投入スイッチ
20   空間部
21   ダクト上ケ−ス
22   ダクト下ケ−ス
23   脱臭剤
【図１】
2011041725.tif 000003
【図２】
2011041725.tif 000004
【図３】
2011041725.tif 000005
【図４】
2011041725.tif 000006
(57)【要約】【課題】野菜などの具材を低温で蒸し煮をして、うまみ成分を増大させ、うまみ成分を流出させないために、具材を無水で低温で蒸し煮をし、かつ具材が通常の調理鍋へこげつかないようにすることが求められる。  本発明は、僅少の火力で具材の低温蒸し煮ができ、具材が焦げつかない調理用のシリコン鍋を提供する。【解決手段】通常の調理鍋の中へ、シリコン鍋をセットして二重鍋とする。シリコン鍋の外壁面には、シリコンの凸形稜線を複数本、放射状に形成する。このシリコン鍋へ具材を入れて、コンロへのせ、最小の火力で蒸し煮をする。【選択図】図１
2011041781.tif 000002
【特許請求の範囲】
【請求項１】
通常の調理鍋の中へセットして、二重鍋として使用するシリコン鍋を設け、シリコン鍋の外壁面へ凸形稜線を複数本、放射状に形成させたシリコン鍋。
【発明の詳細な説明】
【技術分野】
【０００１】  本発明は、野菜などの具材を８０℃前後の低温で蒸し煮をする低温蒸し調理鍋（シリコン鍋）に関するものである。
【背景技術】
【０００２】  野菜、特にきのこ類を８０℃前後で蒸し煮をすると、うまみ成分が３倍になるということは、２００９年７月１５日にＮＨＫのためしてガッテンで放映される以前には、ほとんど知られていなかった。したがって、野菜などの具材を低温で蒸し煮をするための、簡便な調理鍋は、現在ほとんど見当たらない。
通常の調理鍋で、野菜などの具材を低温で蒸し煮をするのは、面倒である。また圧力鍋や無水鍋は、具材をやわらかく煮たり、高温で早く煮るのが目的なので、これらの鍋で具材の低温蒸し煮をするのは難しい。
【発明の概要】
【発明が解決しようとする課題】
【０００３】▲１▼野菜などの具材を低温で蒸し煮をするための条件としては
（イ）野菜などの具材へ高温をかけない。
（ロ）野菜などの具材のうまみ成分を流出させないためには、無水で煮ることが好ましい。
（ハ）野菜などの具材が、金属または陶磁器の調理鍋へ直接触れると、具材が焦げつくので、具材が金属または陶磁器の調理鍋へ触れないようにしたい。
（二）無水で蒸し煮をするためには、具材から出た蒸気を還流させることが必要である。
▲２▼現在、流通している調理鍋で、上記の条件を満たす調理鍋はほとんど見当たらない。
本発明は、以上の問題点を解決するためになされたものである。【０００４】  通常の調理鍋の中へ、シリコン鍋をセットして、ニ重鍋として使用する。シリコン鍋の外壁面には、シリコンの凸形稜線を複数本、放射状に形成する。
【発明の効果】
【０００５】▲１▼野菜などを低温で蒸し煮をすると、うまみ成分が増大して、おいしく食べられる。
▲２▼最小の火力で短時間に煮物ができるので、通常一般に行われている野菜の水（湯）煮に比べて、燃料費が大幅に節約できる。
▲３▼調理が簡単に、短時間で終わる。
▲４▼夏期のクーラーや換気扇の電気代も節約できる。
▲５▼具材をシリコン鍋で煮るので、具材の焦げ付きが全く無い。
▲６▼ＣＯ２の削減は、人類にたいする至上命題となっている。通常、広く行われている具材を水（湯）で煮るという調理の本流が、この低温蒸し煮に変われば、ＣＯ２の削減に大きく寄与できるものと考えられる。
【図面の簡単な説明】
【０００６】
【図１】本発明の使用時を表わす断面図
【図２】本発明の平面図
【図３】本発明の底面図
【発明を実施するための形態】
【０００７】  以下、本発明の実施の形態を説明する。
（イ）通常の調理鍋（１）の中へ、それより径が少し小さいシリコン鍋（３）を落下させて二重鍋にする。
（ロ）シリコン鍋（３）の外壁面には、凸形稜線（５）を複数本、放射状に形成する。
本発明は以上の構成より成り、これを使用するときは、
シリコン鍋（３）へ具材（４）を入れ（水は入れない）、通常の調理鍋（１）へ蓋（２）をして、コンロへかける。
コンロの火力は最小にして加熱する。通常５〜１０分間で低温蒸し煮ができる。
シリコン鍋（３）の外壁面の凸形稜線（５）は、具材（４）の蒸し温度を下げ、かつシリコン鍋（３）が通常の調理鍋（１）へ接着するのを防ぐ効果がある。
【符号の説明】
【０００８】（１）通常の調理鍋、（２）蓋、（３）シリコン鍋、（４）具材、（５）凸形稜線。
【図１】
2011041781.tif 000003
【図２】
2011041781.tif 000004
【図３】
2011041781.tif 000005
(57)【要約】      （修正有）【課題】この発明は、義歯（入れ歯・ブリッジ）を作る際に、正中線（顔面を左右対称に分割する仮想線）を得る為の顔面の正中決定装置を提供する。【解決手段】先端がＹ字型の本体１の一端に、透明の円盤であり、垂直に交わる直径を印記してある照準３を設ける、その内の一本の直径は、本体１の延長線上の直線と正確に一致するものとする。もう一端に刃部２を設け、刃部２の方向は、本体１及び本体１の延長線上にある照準３の直径の方向と正確に一致するものとする。【選択図】図１
2011041787.tif 000002
【特許請求の範囲】
【請求項１】
先端がＹ字型の本体（１）の一端に刃部（２）を取り付けると共に、もう一端には照準（３）を取り付ける。
本発明は、以上の構成よりなる顔面の正中決定装置である。
【発明の詳細な説明】
【技術分野】
【０００１】  この発明は、義歯（入れ歯・ブリッジ）を作る際に、正中線（顔面を左右対称にわける仮想線）を得る為の顔面の正中決定装置に関するものである。
【背景技術】
【０００２】  従来、正中線を得る時には、患者の脇に位置し、鼻尖、上唇小帯、上唇結節、下唇中央溝およびオトガイ隆起中央部などを参考に、それぞれを連結して直線を引くものである。
【発明の開示】
【発明が解決しようとする課題】
【０００３】  そのために、次のような問題点が生じていた。
（イ）見る位置や角度によって正中がずれて、正しい位置を決定する事が困難な場合が      ある。
本発明は、以上の問題点を解決したものである。
【課題を解決するための手段】
【０００４】  先端がＹ字型の本体（１）の一端に刃部（２）を取り付けると共にもう一端に照準（３）を取り付ける。本発明は、以上の構成よりなる顔面の正中決定装置である。
【発明の効果】
【０００５】  したがって、顔面正中線を引く時には、目視で正中を得るのと異なり、一定の正確な顔面正中線を引く事ができるようになった。
【発明を実施するための最良の形態】
【０００６】  以下、本発明を実施するための最良の形態について説明をする。
先端がＹ字型の本体（１）の上部の一端に、照準（３）をつける。その照準は透明の円盤であり、垂直に交わる直径を印記してある。その内の一本の直径は、本体（１）の延長線上の直線と正確に一致するものとする。本体（１）の下部の一端には刃部（２）をつける。刃部（２）の方向は、本体（１）及び本体（１）の延長線上にある照準（３）の直径の方向と正確に一致するものとする。
本発明は、以上のような構造である。
これを使用する時は、保持部（４）を持って、患者の正面に位置する。次に、照準（３）の中心を鼻尖に合わせると共に、本体（１）の延長線上にある照準（３）の直径を鼻中線に一致させる。次に、装置を真上から見て、本体（１）と刃部（２）が正確に重なる位置にて、咬合床の蝋堤に刃部（２）で圧を加えて顔面正中線を引くものである。
【図面の簡単な説明】
【０００７】
【図１】  本発明の側方図である。
【図２】  本発明の上方図である。
【図３】  本発明の使用説明図である。
【図４】  本発明の使用説明図である。
【符号の説明】
【０００８】１    本体
２    刃部
３    照準
４    保持部
【図１】
2011041787.tif 000003
【図２】
2011041787.tif 000004
【図３】
2011041787.tif 000005
【図４】
2011041787.tif 000006
(57)【要約】【課題】  本発明は、バッグ本体にオムツ替えをするときに必要な物がきちんとセットでき、ショルダーを、肩にかけたり、ドアのフックなどにかけて、片手だけで必要な物を容易に取り出すことができる収納部を設けた乳幼児を連れて外出するときに用いるオムツ替えセット入れバッグおよび一般のポーチ、ショルダーバッグを提供する。【解決手段】  バッグ本体の内側に片手で取り出し可能な収納開口部を設け、ショルダーベルトを付けることにより、肩に下げたままで狭い場所でのオムツ替えが容易となることを特徴とするオムツ替えセット入れバッグ。【選択図】図２
2011041783.tif 000002
【特許請求の範囲】
【請求項１】
バッグ本体の内側に片手で取り出し可能な収納開口部を設け、ショルダーベルトを付けることにより、肩に下げたままで狭い場所でのオムツ替えが容易となることを特徴とするオムツ替えセット入れバッグ。
【発明の詳細な説明】
【技術分野】
【０００１】  本発明は、バッグ本体にオムツ替えをするときに必要な物がきちんとセットでき、ショルダーを、肩にかけたり、ドアのフックなどにかけて、片手だけで必要な物を容易に取り出すことができる収納部を設けた乳幼児を連れて外出するときに用いるオムツ替えセット入れバッグおよび一般のポーチ、ショルダーバッグに関するものである。
【背景技術】
【０００２】  従来、乳幼児を連れて外出するときは、オムツを替えるのに必要な物を個別に袋に入れてから、大きなバッグに着替えや、哺乳瓶等と一緒に収納して出掛けていた。
オムツ替えをするときは、いちいちバッグを下してバッグの中から必要な物を取り出して作業をしていた。
【発明の概要】
【発明が解決しようとする課題】
【０００３】  従来より、次のような問題点があった。
大きなバッグを、いちいち下してオムツ、おしり拭き、ティシュ等を取り出すには、乳幼児を連れての作業は不便で、作業性が悪く、また、外出先でのオムツ替えは、いずれも狭い場所での作業となり、片手で乳幼児を抱き抱えながらオムツ替えに必要な物を取り出すには、極めて困難であるばかりか、危険な状態になるときもあった。
このような課題を解決するために、本発明は、バッグ本体にオムツ替えをするときに必要な物がきちんとセットでき、ショルダーを、肩にかけたり、ドアのフックなどにかけて、片手だけで必要な物を容易に取り出すことができる収納部を設けたものである。
本発明は以上の問題点を解決しようとするものである。
【課題を解決するための手段】
【０００４】  バッグ本体の内側に片手で取り出し可能な収納開口部を設け、ショルダーベルトを付けることにより、肩に下げたままで狭い場所でのオムツ替えが容易となることを特徴とするオムツ替えセット入れバッグである。
このような課題を解決するために、本発明は、バッグ本体にオムツを替えるときに必要な物がきちんとセットでき、ショルダーを、肩にかけたり、ドアのフックなどにかけて、片手だけで必要な物を容易に取り出すことができる収納部を設けたものである。
【発明の効果】
【０００５】  本発明は、開口部を有する収納部をバック本体に設けてあるので肩に下げたまま片手で開口部より容易に取り出すことができ、狭い場所でのオムツ交換が容易となるものである。
【発明を実施するための形態】
【０００６】  以下、本発明の実施の形態を説明する。
（イ）本体の内側に収納開口部、ファスナー付き開口部（おしり拭き取り出し口）（２）、おしり拭き収納部（３）、おしり拭き収納口（４）、オムツ入れ収納部（５）、オムツ取り出し口（６）、袋等入れ収納部（７）、袋等取り出し口（８）、ポケットティシュ入れ収納部（９）、ポケットティシュ取り出し口（１０）を設ける。
（ロ）ファスナー付き開口部（おしり拭き取り出し口）（２）の開口部は、ファスナーで閉開ができる。
不要なときは、ファスナーを閉めておく。
（ハ）おしり拭き収納部（３）には、おしり拭き、オムツ入れ収納部（５）には、オムツ袋等入れ収納部（７）には汚れ物を入れる袋等、ポケットティシュ入れ収納部（９）には、ポケットティシュを入れられる袋状を設ける。
（ニ）連結具（１１）でショルダーベルト（１２）を取り外すことができ、ポーチとしても使用できる。
本発明は、以上の構成によりなっている。
本発明を使用するときは、肩やドアフックに掛けたままで、片手でおしり拭きやおむつ、テシュペーパーなどを取り出して、オムツ替えが、狭い場所でも容易にできる。
また、幼児期が過ぎても、下着や着替えなどを入れられるポーチとして利用でき、色々な物品をカテゴリーや、大きさ等の分類に分けて分かりやすく収納できる。
【図面の簡単な説明】
【０００７】
【図１】  本発明の斜視図である。
【図２】  本発明の収納部の平面図である
【図３】  本発明の使用状態を示した説明図である。
【図４】  本発明の使用状態を示した説明図である。
【符号の説明】
【０００８】  １  本体
２  ファスナー付き開口部（おしり拭き取り出し口）
３  おしり拭き収納部
４  おしり拭き収納口
５  オムツ入れ収納部
６  オムツ取り出し口
７  袋等入れ収納部
８  袋等取り出し口
９  ポケットティシュ入れ収納部
１０  ポケットティシュ取り出し口
１１  連結具
１２  ショルダーベルト
【図１】
2011041783.tif 000003
【図２】
2011041783.tif 000004
【図３】
2011041783.tif 000005
【図４】
2011041783.tif 000006
(57)【要約】      （修正有）【課題】比較的簡単な構造で、しかもコスト削減を可能にする単純化した卓上クリーナーの提供。素手により消しゴムのゴミを払うより卓上クリーナーを利用して手軽に取り扱う。【解決手段】箱型をしたケース１の下部は空洞とし、卓上との接触面にローラー２，３を二か所設けてある。また左右ローラー回転部と隣り合う箱型ケースの両側下端を袋状４，５としてある。これらによりローラーを転がすことで簡単に消しゴムのゴミを集めることができる。【選択図】図３
2011041786.tif 000002
【特許請求の範囲】
【請求項１】
箱型をしたケースの下部は空洞とし、卓上との接触面にローラーを二か所設け、ローラーはケースに配置されることを特徴とする卓上クリーナー。
【請求項２】
左右のローラー回転部と隣り合う箱型ケースの両側下端は袋状をしており、左右ローラーと接触しない程度に配置されていることを特徴とする請求項１記載の卓上クリーナー。
【発明の詳細な説明】
【技術分野】
【０００１】本発明は机などの卓上において、消しゴムを使用した時のゴミを速やかにまとめる事ができる卓上クリーナーに関する。
【背景技術】
【０００２】従来の技術で、より優れた技術は幾つか存在する（特許文献１参照）。
【特許文献１】  特開平０９−１９２０８０号公報（図１）
【発明が解決しようとする課題】
【０００３】従来存在する物は構造が複雑であり、コストを考える上で単純化は必要となるであろう。
【課題を解決するための手段】
【０００４】上記の目的を達成する為、本発明の、卓上クリーナーは箱型をしたケースの下部は空洞とし、卓上との接触面にローラーを二か所設け、ローラーはケースに配置されていることを特徴とする。
【０００５】また本発明の、卓上クリーナーは、左右ローラー回転部と隣り合う箱型ケースの両側下端は袋状をしており、左右ローラーと接触しない程度に配置されていることを特徴とする。
【０００６】本発明の、卓上クリーナーの、ゴミを片付けるときの搬出口が上部に設置され、簡単に払い落とすことができる。
【０００７】本発明の、卓上クリーナーの、ローラーはゴムなどの粘着性の高い物を用いると良い。
【発明を実施するための形態】
【０００８】図１、図２、図３、は本発明の、卓上クリーナーの好適な実施の形態を示し、卓上クリーナー本体１と左ローラー２と右ローラー３で構成され、卓上クリーナー１を左に移動させると左ローラー２が消しゴムのゴミを粘着させながら左回転して左ポケット４の中にゴミを入れることができ、卓上クリーナー１を右に移動させると右ローラー３が消しゴムのゴミを粘着させながら右回転して右ポケット５の中にゴミを入れることができる。
【発明の効果】
【０００９】以上説明したように、本発明の、卓上クリーナーを用いることで簡単な構造としコストを抑え、また素手によりゴミを払うことなく器具を利用して手軽に取り扱うことができる。
【図面の簡単な説明】
【図１】本発明の、卓上クリーナーの正面図。
【図２】本発明の、卓上クリーナーの上面図。
【図３】本発明の、卓上クリーナーの図１に示すＡ断面図。
【符号の説明】１    卓上クリーナー本体
２    左ローラー
３    右ローラー
４    左ポケット
５    右ポケット
６    搬出口
【図１】
2011041786.tif 000003
【図２】
2011041786.tif 000004
【図３】
2011041786.tif 000005
(57)【要約】【課題】本発明は上記給水具における蛇腹管部が外力により自由に挙動して水をまき散らす問題を解決する給水具を提供するものである。加えて、給水管部と吐出管部の連設部に限定して蛇腹管部を設け、蛇腹管部による給水量の制限の問題を解決する給水具を提供するものである。【解決手段】本発明に係る給水具は、給水管部と吐出管部とを蛇腹管部を介して屈曲可能に連設すると共に、Ｌ字形に屈曲された蛇腹管部に一対のＬ字形のカバーを被嵌して給水管部と吐出管部とをＬ字形に保持する構成としたものである。また、上記Ｌ字形カバーは一対の合成樹脂製の半割カバーから成り、一方の半割カバーからたてたピンを他方の半割カバーの圧入孔に圧入して、上記被嵌形態を形成する。また、吐出管部又は／及び給水管部と蛇腹管部との連設端には回り止め部を設け、上記Ｌ字形カバーの両端開口部を該回り止め部に相嵌めして回り止めを図る構造とした。【選択図】図２
2011041777.tif 000002
【特許請求の範囲】
【請求項１】
給水管部と吐出管部とを蛇腹管部を介して屈曲可能に連設すると共に、Ｌ字形に屈曲された蛇腹管部に一対のＬ字形のカバーを被嵌して給水管部と吐出管部とをＬ字形に保持する構成とした給水具。
【請求項２】
上記Ｌ字形カバーは一対の合成樹脂製の半割カバーから成り、一方の半割カバーからたてたピンを他方の半割カバーの圧入孔に圧入して上記被嵌形態を形成することを特徴とする請求項１記載の給水具。
【請求項３】
吐出管部又は／及び給水管部と蛇腹管部との連設端には回り止め部を設け、上記Ｌ字形カバーの両端開口部を該回り止め部に相嵌めして回り止めを図る構造としたことを特徴とする請求項１記載の給水具。
【発明の詳細な説明】
【技術分野】
【０００１】  本発明は、風呂の残り湯を洗濯機に給水するときに使用する給水具に関するものである。
【背景技術】
【０００２】  特許文献１は、風呂の残り湯を汲み上げる給水管部と、洗濯槽に該残り湯を吐出する吐出管部を備え、吐出管部を蛇腹管で形成して屈曲可能にした給水具を開示しているが、蛇腹部は自由に可動するため、外部の力によって屈曲し吐出管部が洗濯槽から外れ、洗濯機まわりに水を撒き散らす問題を有している。【０００３】  加えて、水路の大半を上記蛇腹管で形成しているため水の吐出量が低下する。【０００４】
【先行技術文献】
【特許文献】
【特許文献１】特開平１０−２２０６５４号公報
【発明の概要】
【発明が解決しようとする課題】
【０００５】  本発明は上記給水具における蛇腹管部が外力により自由に挙動して水をまき散らす問題を解決する給水具を提供するものである。【０００６】  加えて、給水管部と吐出管部の連設部に限定して蛇腹管部を設け、蛇腹管部による給水量の制限の問題を解決する給水具を提供するものである。
【課題を解決するための手段】
【０００７】  本発明に係る給水具は、給水管部と吐出管部とを蛇腹管部を介して屈曲可能に連設すると共に、Ｌ字形に屈曲された蛇腹管部に一対のＬ字形のカバーを被嵌して給水管部と吐出管部とをＬ字形に保持する構成としたものである。【０００８】  また、上記Ｌ字形カバーは一対の合成樹脂製の半割カバーから成り、一方の半割カバーからたてたピンを他方の半割カバーの圧入孔に圧入して、上記被嵌形態を形成する。【０００９】  また、吐出管部又は／及び給水管部と蛇腹管部との連設端には回り止め部を設け、上記Ｌ字形カバーの両端開口部を該回り止め部に相嵌めして回り止めを図る構造とした。
【発明の効果】
【００１０】  本発明によれば、蛇腹管部に外嵌めされるＬ字形カバーにより、蛇腹管部がＬ字形に屈曲された状態を保ち、ひいては給水管部と吐出管部をＬ字形に保形し維持することができる。【００１１】  蛇腹管部による水量制限を必要最小限に抑えることができる。【００１２】  Ｌ字形カバーが被嵌されていない状態では、給水管部と吐出管部とを直条管状態にすることができるため、ブロー成形で給水管全体を一時に成形する効果も享受できる。
【図面の簡単な説明】
【００１３】
【図１】  吐出管部に対し給水管部を連設部に設けた蛇腹管部を介してＬ字形に屈曲した状態と、直条管状態に引き延ばした状態を説明する給水具の側面図。
【図２】  上記吐出管部と給水管部を蛇腹管部を介してＬ字形に屈曲し、同蛇腹管部にＬ字形カバーを被嵌した状態を示す給水具の斜視図。
【図３】  上記蛇腹管部の拡大側面図。
【図４】  上記Ｌ字形カバーを分解して示す斜視図。
【図５】  上記蛇腹管部にＬ字形カバーを被嵌した部位の縦断面図。
【図６】  吐出管部とＬ字形カバーを被嵌した蛇腹管部の連設部の断面図。
【図７】  給水管部とＬ字形カバーを被嵌した蛇腹管部の連設部の断面図。
【発明を実施するための形態】
【００１４】  以下、本発明を実施するための形態を図１乃至図７に基づき説明する。
本発明に係る給水具１はホースを介して風呂の残り湯を汲みとる給水管部６と、洗濯槽に該残り湯を吐出する吐出管部５とを有し、該吐出管部５と給水管部６とを蛇腹管部７を介して屈曲可能に連設した構造を有し、三者５，６，７を合成樹脂にて一体にブロー成形してなる。
【００１５】  吐出管部５と給水管部６は蛇腹管部７を介してＬ字形に屈曲可能であり、該Ｌ字形に屈曲された蛇腹管部７に一対のＬ字形カバー３（一対の合成樹脂製の半割カバー３ａ、３ｂ）を被嵌し、合体して上記吐出管部５と給水管部６のＬ字形屈曲状態を保持する。
【００１６】  吐出管部５の遊離端には、給水管部６から供給された水を吐出する吐出口２を有し、給水管部６の遊離端には、風呂から残り湯を汲み上げる給水ホースを接続するホース接続部４を有する。
【００１７】  吐出管部５又は／及び給水管部６と蛇腹管部７との連設端には回り止め部１０ａ、１０ｂを設け、同様に上記Ｌ字形カバー３の両端開口部に回り止め部１１ａ、１１ｂを設け、両回り止め部１０ａ，１０ｂに１１ａ，１１ｂを相嵌めして回り止め状態を形成する。
【００１８】  上記回り止め部１０ａ，１０ｂ，１１ａ，１１ｂは円形の一側面に平面を形成するか、多角形状にするか、その他凹凸係合やピンと孔の係合等の実施が可能である。
【００１９】  Ｌ字形カバー３を形成する一対の合成樹脂製の半割カバー３ａ、３ｂは給水管部６と吐出管部５に回り止め状態で被嵌され、且つ、一方の半割カバーからたてたピン８を、他方の半割カバーの圧入孔９に圧入して上記被嵌形態を形成し、蛇腹管部７のＬ字形屈曲状態を保持する。
【符号の説明】
【００２０】１      給水具
２      吐出口
３      Ｌ字カバー
３ａ    半割りＬ字カバー
３ｂ    半割りＬ字カバー
４      ホース接続部
５      吐出管部
６      給水管部
７      蛇腹管部
８      ピン
９      圧入孔
１０ａ  回り止め部（吐出管側）
１０ｂ  回り止め部（給水管側）
１１ａ  回り止め部（吐出管側）
１１ｂ  回り止め部（給水管側）
【図１】
2011041777.tif 000003
【図２】
2011041777.tif 000004
【図３】
2011041777.tif 000005
【図４】
2011041777.tif 000006
【図５】
2011041777.tif 000007
【図６】
2011041777.tif 000008
【図７】
2011041777.tif 000009
(57)【要約】【課題】ショルダー鞄、バッグを運搬歩行時に肩からベルト、紐が滑り落ちる事を防止、又は肩の一部に集中的に荷重が掛り身体の疲労、及び服装の傷みや乱れを防ぐ事を解決する滑り防止調節器具を提供する。【解決手段】この発明は、身体肩部に滑り防止調節器具を設け、肩掛けベルト、紐を容易に滑り防止調節器具の身体前部と背後部に角度変更し取り付け可能なものとし鞄、バッグの荷重を肩全体に分散し疲労を軽減する事を解決する構造を特徴とする。【選択図】図１
2011041776.tif 000002
【特許請求の範囲】
【請求項１】
肩掛けショルダー鞄、ショルダーバッグを運搬歩行時ベルト、紐が肩下がりに従って滑り落ち困難であるため、肩下がりの角度調節パッド硬質又は半硬質で装置を設け身体正面と背後にベルト、紐を押え固定部材を設置する、背後の押え固定位置を背中中央に引き寄せる角度に設ける構造をなす、滑り防止調節器具。
【発明の詳細な説明】
【技術分野】
【０００１】この発明は、肩掛けショルダーバッグ、鞄を持ち運びするとき、肩掛けベルトが肩の部分で滑り落ちるのを防ぐ調節器具である。
【背景技術】
【０００２】これまで、手提げ鞄がほとんどで出あったが、近年、鞄に入れて運ぶ内容が、書類、道具が増え、多種多様な肩掛け鞄が増えてきた、鞄の重量でベルトが身体の肩下がり及び背後の腕の付け根角度に従って肩滑りを起こし落ちそうになる為絶えず運搬歩行時に負担掛かり困難である、現在ベルトそのままか、肩当て程度である。
【先行技術文献】
【特許文献】
【０００３】
【特許文献１】特開２００５−２１１６３０
【発明の概要】
【発明が解決しようとする課題】
【０００４】従来の肩掛け鞄のベルトは次のような欠点があった。
イ  ベルトそのままか、ベルトに肩当てに滑り止めを工夫した生地である為肩下がりの滑り防止効果は発揮できていない。
ロ  鞄、ショルダーバッグのベルト及び紐は肩に集中的に肩の一部に荷重が掛り身体に負担が掛っている欠点がある。
ハ  肩部でベルト及び紐が滑り著しく服装を傷めや崩れがありファッション的に欠陥がある。
ニ  従来の肩掛け鞄やショルダーバッグの形状、ベルトを維持しながら、容易に多種多様なベルトや、紐に対応し、身体体型を考慮し滑り防止調節に対応する事が必要である、肩下がり角度を是正する必要がある、
ホ  身体背後の背骨から腕にかけ前ずれが起きる原因の角度があり背中中央に引き寄せる機能が必要である、
ヘ  簡単に着装が出来て、移動できる機能が必要。
本発明はこれらの課題を解決するために発明されたものである。
【課題を解決するための手段】
【０００５】上記の課題を解決するために本発明は、肩部に半硬質、硬質、材で作成した肩角度調節パッドを肩に装着し、鞄、ベルト、及び紐を押え固定装置で固定し、鞄、バックの重量を肩全体に分散する、背後のベルト固定位置の支点を背中中央に引き寄せる構造とし、背後の腕の付け根の滑る角度位置を変更する。【０００６】本発明は、鞄、ショルダーバッグのベルト一体製も可能である。
【発明の効果】
【０００７】本発明は、既存の鞄、ショルダーバッグの多種多様のベルト、及び紐に容易に装着可能で持ち運び移動時でも事前に装着しておけばそのまま肩に固定し移動する事が出来る、鞄、バッグの重量を肩にフィットするパッドと２点支点で力成分調整することにより荷重が軽くなり、運搬時の体型、ファッション性損なわなく、肩滑りを防ぐことで衣服の損傷もなくなる、デザインによりアクセサリーとしての効果利用も出来る。
【図面の簡単な説明】
【０００８】
【図１】本発明の肩掛けベルト鞄に装着した状態を示す斜視図である。
【図２】ショルダーバッグに装着した状態を示す斜視図である。
【図３】鞄にベルト付肩滑り防止調節器具を装着した状態を示す斜視図である。
【図４】（ａ）肩に装着した正面図、（ｂ）は肩に装着した背後図、（ｃ）は肩に装着した上から見た平面図である。
【図５】は本発明の肩滑り防止調節器具上から見た平面図、
【図６】は肩口側面から見た同断面図である。
【図７】（ａ）は本体に設けられるショルダーベルトを押え固定する部材の斜視図、（ｂ）は平面図、（ｃ）は側面図、（ｄ）は断面図である。
【図８】（ａ）は本体に設けられるショルダー紐を押え固定する部材の斜視図、（ｂ）はショルダーバッグ紐押え固定ベルト図、（ｃ）は同固定部材に装着した断面図である。
【図９】図３によるベルト付肩滑り防止調節器具のベルト図、（ａ）は平面図、（ｂ）は断面図である。
【発明を実施するための形態】
【０００９】以下、本発明の実施の形態について、図面を参照して説明する。
図１は本発明の部材を装着したショルダー鞄全体の斜視図であり、ショルダー鞄として使用する時の形状を示している、図２はショルダーバッグの紐を押え固定ベルトで使用した時の形状を示している斜視図、図３は鞄ベルトと肩滑り防止調節器具に装着した斜視図で形状を示している。
【００１０】本発明は身体肩部に図６逆Ｕ字型の肩下がりに角度調節肩型形状を硬質又は半硬質のプラスチックや角度調節用に半硬質スポンジ材や皮革党から成り本体とし滑り防止調節器具とする、
【００１１】鞄ベルトを肩滑り防止調節器具本体に硬質材のベルト押え固定具を身体前後に角度変更して設ける、
【００１２】本実施例では、肩滑り防止調節器具の内側に角度調節滑り止め部材で体型にフィトさせそれに鞄ベルト、ショルダーバッグの紐を固定する事で肩部全体に荷重が掛り荷重負担を分散し身体の疲労を和らげる。
【００１３】図３肩滑り防止調節器具にショルダー鞄用の肩ベルトを一体としてベルト先端にフックを装着し鞄を吊る事で簡単に変更できる
【符号の説明】
【００１４】  １    肩滑り防止調節器具パッド本体
２    身体前部に装着するベルト押え固定部材
３    肩部に装着するベルト支点引き寄せベルト押え固定部材
４    ベルト押え固定角度調整回転部材
５    肩滑り防止パッド裏クッション滑り止め部材
６    肩滑り防止パッド裏肩角度調整部材
７    紐押え固定押えベルト部材
８    紐固定押え調整ピン
９    紐固定押え調整用穴
１０    ベルト固定押え回転金具
１１    滑り防止調節器具にベルト装着金具
１２    鞄肩掛けベルト
１３    ベルト長さ調節金具
１４    鞄吊りフック金物
１５    鞄
１６    鞄ベルト
１７    バッグ
１８    バック紐
【図１】
2011041776.tif 000003
【図２】
2011041776.tif 000004
【図３】
2011041776.tif 000005
【図４】
2011041776.tif 000006
【図５】
2011041776.tif 000007
【図６】
2011041776.tif 000008
【図７】
2011041776.tif 000009
【図８】
2011041776.tif 000010
【図９】
2011041776.tif 000011